(57)【要約】 【課題】  機能性の向上を図る。【解決手段】  一方に開口された凹部２ａを有するランプハウジング２と、開口を閉塞するようにランプハウジングに取り付けられたカバー３と、ランプハウジングの凹部に配置されると共に回路基板７と該回路基板上に点在して搭載された複数の発光ダイオード８、８、・・・、９、９、・・・とを有する光源ユニット６とを設け、発光ダイオードを照明灯として機能するときに光を出射し発光色が白色とされた第１の発光ダイオード８、８、・・・と表示灯として機能するときに光を出射し発光色が白色以外の色とされた第２の発光ダイオード９、９、・・・とによって構成し、第１の発光ダイオードから光が出射されて点灯する第１の点灯モードと第２の発光ダイオードから光が出射されて点灯する第２の点灯モードとを独立して設定した。【選択図】        図３
2010262890.tif 000002
【特許請求の範囲】
【請求項１】
一方に開口された凹部を有するランプハウジングと、
前記開口を閉塞するように前記ランプハウジングに取り付けられたカバーと、
前記ランプハウジングの凹部に配置されると共に回路基板と該回路基板上に点在して搭載された複数の発光ダイオードとを有する光源ユニットとを備え、
前記発光ダイオードは照明灯として機能するときに光を出射し発光色が白色とされた第１の発光ダイオードと表示灯として機能するときに光を出射し発光色が白色以外の色とされた第２の発光ダイオードとから成り、
前記第１の発光ダイオードから光が出射されて点灯する第１の点灯モードと前記第２の発光ダイオードから光が出射されて点灯する第２の点灯モードとが独立して設定された
ことを特徴とする車輌用ルームランプ。
【請求項２】
前記第１の発光ダイオードとして広角照射用の発光ダイオードを用い、
前記第２の発光ダイオードとして指向性照射用の発光ダイオードを用い、
第１の発光ダイオードの最大出射角度を第２の発光ダイオードの最大出射角度より大きくした
ことを特徴とする請求項１に記載の車輌用ルームランプ。
【請求項３】
前記カバーにおける前記第１の発光ダイオードから出射された光が透過される部分に拡散ステップを形成した
ことを特徴とする請求項１又は請求項２に記載の車輌用ルームランプ。
【発明の詳細な説明】
【技術分野】
【０００１】
本発明は車輌用ルームランプに関する。詳しくは、光源として設けられた２種類の発光ダイオードが各別に発光されて点灯される二つの点灯モードを独立して設定し機能性の向上を図る技術分野に関する。
【背景技術】
【０００２】
車輌の車内の照明灯として用いられる車輌用ルームランプがある（例えば、特許文献１参照）。
【０００３】
このような車輌用ルームランプは、一般に、車輌の走行中には消灯され、ドアの開放時に点灯されて搭乗者の乗降や車輌の室内に対する荷物の出し入れ等の際の照明として用いられる。
【０００４】
【特許文献１】特開２００８−５３０６５号公報
【発明の開示】
【発明が解決しようとする課題】
【０００５】
ところが、上記したように、車輌用ルームランプは専ら照明灯として用いられるものであるため、機能性に乏しく用途が限定されている。
【０００６】
そこで、本発明車輌用ルームランプは、機能性の向上を図ることを課題とする。
【課題を解決するための手段】
【０００７】
車輌用ルームランプは、上記した課題を解決するために、一方に開口された凹部を有するランプハウジングと、前記開口を閉塞するように前記ランプハウジングに取り付けられたカバーと、前記ランプハウジングの凹部に配置されると共に回路基板と該回路基板上に点在して搭載された複数の発光ダイオードとを有する光源ユニットとを設け、前記発光ダイオードは照明灯として機能するときに光を出射し発光色が白色とされた第１の発光ダイオードと表示灯として機能するときに光を出射し発光色が白色以外の色とされた第２の発光ダイオードとから成り、前記第１の発光ダイオードから光が出射されて点灯する第１の点灯モードと前記第２の発光ダイオードから光が出射されて点灯する第２の点灯モードとが独立して設定されたものである。
【０００８】
従って、車輌用ルームランプにあっては、第１の点灯モードにおいて第１の発光ダイオードから光が出射されて照明灯として機能し、第２の点灯モードにおいて第２の発光ダイオードから光が出射されて表示灯として機能する。
【発明の効果】
【０００９】
本発明車輌用ルームランプは、一方に開口された凹部を有するランプハウジングと、前記開口を閉塞するように前記ランプハウジングに取り付けられたカバーと、前記ランプハウジングの凹部に配置されると共に回路基板と該回路基板上に点在して搭載された複数の発光ダイオードとを有する光源ユニットとを備え、前記発光ダイオードは照明灯として機能するときに光を出射し発光色が白色とされた第１の発光ダイオードと表示灯として機能するときに光を出射し発光色が白色以外の色とされた第２の発光ダイオードとから成り、前記第１の発光ダイオードから光が出射されて点灯する第１の点灯モードと前記第２の発光ダイオードから光が出射されて点灯する第２の点灯モードとが独立して設定されたことを特徴とする。
【００１０】
従って、車輌用ルームランプを照明灯に加えて表示灯としても使用することができ、車輌用ルームランプの機能性の向上を図ることができる。
【００１１】
請求項２に記載した発明にあっては、前記第１の発光ダイオードとして広角照射用の発光ダイオードを用い、前記第２の発光ダイオードとして指向性照射用の発光ダイオードを用い、第１の発光ダイオードの最大出射角度を第２の発光ダイオードの最大出射角度より大きくしている。
【００１２】
従って、広角照射用の発光ダイオードと指向性照射用の発光ダイオードとを用いることにより、用途に応じた最適な光を容易に照射することができる。
【００１３】
請求項３に記載した発明にあっては、前記カバーにおける前記第１の発光ダイオードから出射された光が透過される部分に拡散ステップを形成したので、第１の発光ダイオードから出射された光を拡散して広い範囲に亘って室内に照射することができる。
【発明を実施するための最良の形態】
【００１４】
以下に、本発明車輌用ルームランプを実施するための最良の形態について添付図面を参照して説明する。
【００１５】
車輌用ルームランプ１は、車輌の車内における天井等に取り付けられて配置される。
【００１６】
車輌用ルームランプ１は、ランプハウジング２とカバー３とを備え、ランプハウジング２とカバー３によって灯具外筐４が構成されている（図１参照）。ランプハウジング２は一方に開口された浅い凹部２ａを有し、カバー３がランプハウジング２の開口面を閉塞した状態でランプハウジング２に取り付けられる。
【００１７】
ランプハウジング２の一端部には操作スイッチ５が移動自在に支持されている。操作スイッチ５の操作位置としては、例えば、第１の操作位置Ａ、第２の操作位置Ｂ及び第３の操作位置Ｃの三つの操作位置が設定されている。第１の操作位置Ａは第１の点灯状態となる位置であり、第２の操作位置Ｂは第２の点灯状態となる位置であり、第３の操作位置Ｃは消灯状態となる位置である。
【００１８】
灯具外筐４の内部にはランプハウジング２の凹部２ａに挿入された状態で光源ユニット６が配置されている。光源ユニット６は回路基板７と該回路基板７上に搭載され光源として用いられた複数の第１の発光ダイオード８、８、・・・と第２の発光ダイオード９、９、・・・を有している。
【００１９】
第１の発光ダイオード８、８、・・・は、回路基板７上に規則的に点在して配置されている。第１の発光ダイオード８、８・・・は、発光色が白色とされている。
【００２０】
第２の発光ダイオード９、９、・・・は、回路基板７上に第１の発光ダイオード８、８、・・・以外の位置に規則的に点在して配置されている。第２の発光ダイオード９、９・・・は、発光色が、例えば、青色、黄色、緑色等とされている。
【００２１】
カバー３には第１の発光ダイオード８、８、・・・に対向する位置に、それぞれ拡散ステップ３ａ、３ａ、・・・が形成されている。
【００２２】
上記のように構成された車輌用ルームランプ１において、操作スイッチ５が第１の操作位置Ａに操作されると第１の点灯状態となって第１の点灯モード又は第２の点灯モードが設定され、車輌のドアの開閉状態に応じて第１の発光ダイオード８、８、・・・又は第２の発光ダイオード９、９、・・・から光が出射される。
【００２３】
例えば、車輌のドアが開いた状態になると第１の点灯モードが設定され、第２の発光ダイオード９、９、・・・からは光が出射されず、第１の発光ダイオード８、８、・・・から光が出射され、出射された光がカバー３を透過されて車内に照射される（図２参照）。このとき第１の発光ダイオード８、８、・・・から出射された光は、カバー３の拡散ステップ３ａ、３ａ、・・・によって拡散されて車内に照射され、車輌用ルームランプ１が照明灯として機能する（図２の第１の発光ダイオード８の周囲の点線の円は、光が拡散された状態を示す。）。
【００２４】
一方、車輌のドアが閉じた状態になると第２の点灯モードが設定され、第１の発光ダイオード８、８、・・・からは光が出射されず、第２の発光ダイオード９、９、・・・から光が出射され、出射された光はカバー３を透過されて外部へ照射される（図３参照）。このとき第２の発光ダイオード９、９、・・・から出射された光は、カバー３の拡散ステップ３ａ、３ａ、・・・以外の部分を透過される。
【００２５】
第２の発光ダイオード９、９、・・・からの光の出射は、例えば、車内に配置された図示しない温度センサーが検知した車内の温度に基づいて行われる。例えば、温度センサーによって車内の温度が「２３°Ｃ」であることが検出されたときには、その検出信号が車輌用ルームランプ１に送出され、図３に示すように、「２３°Ｃ」を表示するために必要な第２の発光ダイオード９、９、・・・のみから光が出射され、車輌用ルームランプ１が表示灯として機能する。
【００２６】
このような温度センサーの温度検出とその検出信号の車輌用ルームランプ１への送出は随時行われており、第２の点灯モードにおいては、送出された検出信号に基づいて第２の発光ダイオード９、９、・・・からの光の出射が行われて車輌用ルームランプ１による温度表示が行われる。
【００２７】
尚、上記には、カバー３に拡散ステップ３ａ、３ａ、・・・を形成して第１の発光ダイオード８、８、・・・から出射された光を拡散するようにした例を示したが、例えば、第１の発光ダイオード８、８、・・・として最大出射角度の大きな広角照射用の発光ダイオードを用い、第２の発光ダイオード９、９、・・・として最大出射角度の小さな指向性照射用の発光ダイオードを用い、第１の発光ダイオード８、８、・・・から出射された光を広い範囲に亘って照射し、第２の発光ダイオード９、９、・・・から出射された光を狭い範囲で照射してシャープな表示となるようにすることも可能である。
【００２８】
このように広角照射用の発光ダイオードと指向性照射用の発光ダイオードとを用いることにより、用途に応じた最適な光を容易に照射することができる。また、広角照射用の発光ダイオードを用いることにより、カバー３に拡散ステップ３ａ、３ａ、・・・を形成する必要がなくなり、カバー３の形成が容易となる。
【００２９】
また、第２の点灯モードにおいて第２の発光ダイオード９、９、・・・から光が出射されたときの上記した温度の表示は表示の一例であり、車輌用ルームランプ１においては、第２の点灯モードにおいて、任意の表示を行うように構成することが可能である。例えば、車輌用ルームランプ１の点灯時に、各種のマーク、各種のキャラクター、人や動物や建物等の各種の形状をイメージするような表示が行われるようにしてもよい。
【００３０】
また、例えば、現在時刻、外部温度、車輌の走行方向、前方を走行している車輌との間隔、風向き、現在地等が表示されるようにしてもよい。これらの表示を行う場合には、各種のセンサーやナビゲーションシステムによって検出された検出信号に連動させて制御することが可能である。
【００３１】
車輌用ルームランプ１において、操作スイッチ５が第２の操作位置Ｂに操作されると第２の点灯状態となり、車輌のドアの開閉状態に拘わらず第１の発光ダイオード８、８、・・・から光が出射され、車輌用ルームランプ１が照明灯として機能する。このとき第２の発光ダイオード９、９、・・・からは光が出射されない。
【００３２】
また、車輌用ルームランプ１において、操作スイッチ５が第３の操作位置Ｃに操作されると消灯状態となり、車輌のドアの開閉状態に拘わらず第１の発光ダイオード８、８、・・・及び第２の発光ダイオード９、９、・・・の何れからも光が出射されない。
【００３３】
以上に記載した通り、車輌用ルームランプ１にあっては、照明灯として機能するときに光を出射する第１の発光ダイオード８、８、・・・と表示灯として機能するときに光を出射する第２の発光ダイオード９、９、・・・とを有し、第１の発光ダイオード８、８、・・・から光が出射されて点灯する第１の点灯モードと第２の発光ダイオード９、９、・・・から光が出射されて点灯する第２の点灯モードとが独立して設定されている
従って、車輌用ルームランプ１を照明灯に加えて表示灯としても使用することができ、車輌用ルームランプ１の機能性の向上を図ることができる。
【００３４】
また、カバー３に第１の発光ダイオード８、８、・・・から出射された光を拡散する拡散ステップ３ａ、３ａ、・・・が形成されているため、第１の発光ダイオード８、８、・・・から出射された光を拡散して広い範囲に亘って室内に照射することができ、用途に応じた最適な光を容易に照射することができる。
【００３５】
さらに、カバー３における第２の発光ダイオード９、９、・・・から出射された光が透過される部分に集光ステップを形成してもよく、これにより指向性を高めて、よりシャープな表示となるようにすることも可能である。
【００３６】
尚、上記には、車輌用ルームランプ１の第２の発光ダイオード９、９、・・・が点灯する例を示したが、例えば、第２の発光ダイオード９、９、・・・が点滅するように構成することも可能である。
【００３７】
上記した発明を実施するための最良の形態において示した各部の形状及び構造は、何れも本発明を実施するに際して行う具体化のほんの一例を示したものにすぎず、これらによって本発明の技術的範囲が限定的に解釈されることがあってはならないものである。
【図面の簡単な説明】
【００３８】
【図１】図２及び図３と共に本発明車輌用ルームランプの最良の形態を示すものであり、本図は、車輌用ルームランプの概略分解斜視図である。
【図２】車輌用ルームランプが照明灯として機能する状態を示す概略正面図である。
【図３】車輌用ルームランプが表示灯として機能する状態を示す概略正面図である。
【符号の説明】
【００３９】
１…車輌用ルームランプ、２…ランプハウジング、３…カバー、３ａ…拡散ステップ、６…光源ユニット、７…回路基板、８…第１の発光ダイオード、９…第２の発光ダイオード
【図１】
2010262890.tif 000003
【図２】
2010262890.tif 000004
【図３】
2010262890.tif 000005